(57)【特許請求の範囲】
【請求項１】
上枠、下枠及び左右の縦枠を有する枠体と、
前記枠体内の上部に配置される上障子と、
前記枠体内の下部に配置される下障子と、
前記左右の縦枠にそれぞれ固定され、前記縦枠から前記枠体の内側に延出すると共に、前記上障子を前記枠体に固定する一対の固定金具と、を備える建具であって、
前記上障子は、該上障子の左右方向の両端部の下部に配置される一対の取付金具を有し、
前記取付金具は、前記固定金具の上部に載置されて、該固定金具に固定され、
前記固定金具は、前記下障子の屋内側への移動を規制する規制部材を有する建具。
【請求項２】
前記上障子と前記固定金具とを固定するねじ部材を備え、
前記固定金具は、前記上障子と前記固定金具とを固定する際に前記ねじ部材が挿通され且つ見込方向に延びる貫通長穴を有する請求項１に記載の建具。
【請求項３】
上枠、下枠及び左右の縦枠を有する枠体と、
前記枠体内の上部に配置される上障子と、
前記枠体内の下部に配置される下障子と、
前記左右の縦枠にそれぞれ固定され、前記縦枠から前記枠体の内側に延出すると共に、前記上障子を前記枠体に固定する一対の固定金具と、を備え、前記固定金具は、前記下障子の屋内側への移動を規制する規制部材を有しており、前記枠体に前記上障子を取り付ける建具の施工方法であって、
前記一対の固定金具それぞれを前記左右の縦枠に固定する第１工程と、
前記第１工程の後に、前記枠体内において前記上障子を前記一対の固定金具よりも上方に持ち上げる第２工程と、
前記第２工程の後に、前記上障子を前記一対の固定金具の上部に載置する第３工程と、
前記第３工程の後に、前記上障子を前記一対の固定金具に固定する第４工程と、を有する建具の施工方法。
【発明の詳細な説明】
【技術分野】
【０００１】
本発明は、建具及び建具の施工方法に関する。
【背景技術】
【０００２】
従来、枠体と、枠体内の上部に配置される上障子と、枠体内の下部に配置される下障子と、を備える上げ下げ窓（建具）が知られている（例えば、特許文献１参照）。
特許文献１に記載の上げ下げ窓においては、上障子を枠体に取り付ける際に、上障子を枠体の上部に配置して上障子を手で支えながら、上障子を枠体にねじ部材で固定している。
【先行技術文献】
【特許文献】
【０００３】
【特許文献１】特開２０１２−１８９８号公報
【発明の概要】
【発明が解決しようとする課題】
【０００４】
しかしながら、上障子を手で支えながら上障子を枠体にねじ部材で固定するため、施工の作業性が悪くなっていた。
【０００５】
本発明は上記に鑑みてなされたものであり、上障子を枠体に固定する作業性を向上できる建具を提供することを目的とする。
【課題を解決するための手段】
【０００６】
上記目的を達成するため本発明は、上枠（例えば、後述の上枠１１）、下枠（例えば、後述の下枠１２）及び左右の縦枠（例えば、後述の縦枠１３，１４）を有する枠体（例えば、後述の枠体１０）と、前記枠体内の上部に配置される上障子（例えば、後述の上障子２）と、前記左右の縦枠にそれぞれ固定され、前記縦枠から前記枠体の内側に延出すると共に、前記上障子を前記枠体に固定する一対の固定金具（例えば、後述の障子固定金具６２）と、を備える建具（例えば、後述の上げ下げ窓１）であって、前記上障子は、該上障子の左右方向の両端部の下部に配置される一対の取付金具（例えば、後述の取付金具６１）を有し、前記取付金具は、前記固定金具の上部に載置されて、該固定金具に固定される建具を提供する。
【０００７】
また、前記枠体内の下部に配置される下障子（例えば、後述の下障子３）を備え、前記固定金具は、前記下障子の屋内側への移動を規制する規制部材（例えば、後述のアングル部材６６）を有することが好ましい。
【０００８】
また、前記上障子と前記固定金具とを固定するねじ部材（例えば、後述のねじ部材６０１）を備え、前記固定金具は、前記上障子と前記固定金具とを固定する際に前記ねじ部材が挿通され且つ見込方向に延びる貫通長穴（例えば、後述の貫通長穴６３１ａ）を有することが好ましい。
【０００９】
また、本発明は、上枠、下枠及び左右の縦枠を有する枠体と、前記枠体内の上部に配置される上障子と、前記左右の縦枠にそれぞれ固定され、前記縦枠から前記枠体の内側に延出すると共に、前記上障子を前記枠体に固定する一対の固定金具と、を備え、前記枠体に前記上障子を取り付ける建具の施工方法であって、前記一対の固定金具それぞれを前記左右の縦枠に固定する第１工程と、前記第１工程の後に、前記枠体内において前記上障子を前記一対の固定金具よりも上方に持ち上げる第２工程と、前記第２工程の後に、前記上障子を前記一対の固定金具の上部に載置する第３工程と、前記第３工程の後に、前記上障子を前記一対の固定金具に固定する第４工程と、を有する建具の施工方法を提供する。
【発明の効果】
【００１０】
本発明によれば、上障子を枠体に固定する際の施工の作業性を向上することができる建具を提供できる。
【図面の簡単な説明】
【００１１】
【図１】本発明の一実施形態に係る上げ下げ窓を屋内側から見た正面図である。
【図２】本実施形態に係る上げ下げ窓の縦断面図である。
【図３Ａ】本実施形態に係る上げ下げ窓の縦断面図において主に上障子が配置される部分の拡大図である。
【図３Ｂ】本実施形態に係る上げ下げ窓の縦断面図において主に下障子が配置される部分の拡大図である。
【図４】本実施形態に係る上げ下げ窓の下障子が配置される部分の横断面図である。
【図５】本実施形態に係る上げ下げ窓の上障子が配置される部分の横断面図である。
【図６】ガラス接着部の構成を示す断面図である。
【図７】ガラス接着部の構成を示す分解斜視図である。
【図８】障子固定構造において、枠体に上障子を固定する前の状態を示す斜視図である。
【図９】障子固定構造において、上障子の取付金具を示す斜視図である。
【図１０】障子固定構造において、障子固定金具を斜め下方側から視た斜視図である。
【図１１】障子固定構造において、障子固定金具を斜め上方側から視た斜視図である。
【図１２】障子固定構造において、上障子が枠体に固定された状態を示す斜視図である。
【図１３】障子固定構造において、上障子の取付金具が障子固定金具に固定された状態を示す斜視図である。
【図１４】下障子のロック機構を示す図である。
【発明を実施するための形態】
【００１２】
以下、本発明の一実施形態について、図面を参照して詳しく説明する。図１は、本発明の一実施形態に係る上げ下げ窓１を屋内側から見た正面図である。なお、本明細書において、「見付方向」とは、建物の壁に形成された開口部に納められた上げ下げ窓１におけるガラスの面方向を意味し、「見込方向」とは、上記ガラスの厚さ方向（即ち、奥行き方向）を意味する。
【００１３】
本実施形態の建具としての上げ下げ窓１は、図示しない建物の壁に形成された開口部に納められる。図１に示すように、上げ下げ窓１は、建物の開口部に取り付けられる枠体１０と、枠体１０内の上部に配置された上障子２（第１障子）と、枠体１０内の下部に配置され上下方向に移動可能に納められた下障子３（第２障子）と、第１ガラス接着部５ａ（接着固定部）と、第２ガラス接着部５ｂ（接着固定部）と、第３ガラス接着部５ｃ（接着固定部）と、引手部５４と、一対の障子固定構造６０（図８参照）と、気密部材としての環状パッキン７と、網戸８（図３Ｂ参照）と、ピボットヒンジ軸部９（図３Ｂ参照）と、ガイド溝部（不図示）と、を備える。
【００１４】
本実施形態の上げ下げ窓１は、上障子２が枠体１０内の上部に固定されており、下障子３が枠体１０内を上下方向に移動可能に構成され、閉鎖時に下障子３が上障子２と同一平面となる、いわゆる、フラットスライド構造を備える。本実施形態においては、下障子３と上障子２とが同一平面とは、上障子２の上側ガラス２００（後述）と下障子３の下側ガラス３００（後述）とについて、上側ガラス２００（後述）の表面と下側ガラス３００（後述）の表面との見込方向の位置が同じことを意味する。なお、下障子３は、枠体１０内を上方側に移動する場合には、枠体１０内において、上障子２よりも見込方向の屋内側に移動しながら上方側に移動するように構成される。
【００１５】
図２は、本実施形態に係る上げ下げ窓１の縦断面図である。図３Ａは、本実施形態に係る上げ下げ窓１の縦断面図において主に上障子２が配置される部分の拡大図である。図３Ｂは、本実施形態に係る上げ下げ窓１の縦断面図において主に下障子３が配置される部分の拡大図である。図４は、本実施形態に係る上げ下げ窓１の下障子３が配置される部分の横断面図である。図５は、本実施形態に係る上げ下げ窓の上障子２が配置される部分の横断面図である。
【００１６】
枠体１０は、図１〜図５に示すように、上枠１１と、下枠１２と、左右の縦枠１３，１４と、により矩形に枠組みされて形成される。上枠１１、下枠１２、及び左右の縦枠１３，１４は、例えば塩化ビニル樹脂等の合成樹脂材料で形成され、押出し成形品により構成される。
【００１７】
本実施形態においては、上枠１１、下枠１２、及び左右の縦枠１３，１４は、略同一の構成を有する。そのため、対応する構成については同様の規則性を持って符号を付し、その説明を省略する。従って、以下では、上枠１１の構成のみについて説明し、下枠１２及び左右の縦枠１３，１４の構成は、上枠１１と相違する構成についてのみ説明する。
【００１８】
上枠１１は、長尺状に形成される。上枠１１は、図２に示すように、上枠１１が延びる方向に直交する断面において、複数の空気室を有する格子状に形成され、全体として、上障子２及び下障子３が配置される下方側が開放する断面略Ｕ字形状に形成される。
【００１９】
上枠１１は、図３に示すように、上部に配置され見込方向に延びる上部外枠１１３と、上部外枠１１３の屋内外側の端部から下方に延びる外側縦枠１１１と、上部外枠１１３の屋内側の端部から下方に延びる内側縦枠１１２と、を有する。外側縦枠１１１は、上下方向において、内側縦枠１１２よりも、下方側の長さが長く形成される。
【００２０】
上部外枠１１３の下面（内面）には、上部外枠１１３の下面（内面）から下方に突出する２つの突出部１１３ａ，１１３ｂが形成される。突出部１１３ａ，１１３ｂは、上部外枠１１３の下面から下方に立設され下端部で互いが近づく側に屈曲する略Ｌ字形状に形成される。
【００２１】
内側縦枠１１２は、下方側において、下方に延出する延出部１１２ａを有する。延出部１１２ａの下端部には、屋外側に向いて開放する係止溝部１１２ｂが形成されている。
外側縦枠１１１の下端部には、屋内側に向けて開放する係止溝１１１ａが形成されている。係止溝１１１ａには、環状パッキン７が係止される。環状パッキン７については後述する。
【００２２】
上障子２は、図１に示すように、上げ下げ窓１の閉鎖状態で枠体１０内の上部に配置される。上障子２は、図３Ａ及び図５に示すように、上側上框２１（上框）と、上側下框２２（下框）と、左右の上側縦框２３，２４（縦框）と、により矩形に框組みされて形成された上側框体２０（第１框体）と、該上側框体２０内に嵌め込まれた上側ガラス２００（第１面材）と、押縁アタッチメント２１１，２１２，２１３，２１４と、を備える。
【００２３】
上側上框２１、上側下框２２、及び左右の上側縦框２３，２４には、それぞれ、内側（障子側）に開口して形成される溝２１ａ，２２ａ，２３ａ，２４ａが形成される。溝２１ａ，２２ａ，２３ａ，２４ａには、上側ガラス２００の側端部が配置される。
【００２４】
上側上框２１、上側下框２２、及び左右の上側縦框２３，２４が延びる方向に直交する断面形状は、図３Ａ及び図５に示すように、同一である。上側上框２１、上側下框２２、及び左右の上側縦框２３，２４は、例えば塩化ビニル樹脂等の合成樹脂材料で形成され、押出し成形品により構成される。図１に示すように、上側上框２１、上側下框２２、及び左右の上側縦框２３，２４は、それぞれ、端部において、４５度の角度で切断して形成され、互いに切断した部分を溶着により接合する。上側上框２１、上側下框２２、及び左右の上側縦框２３，２４の断面形状については後述する。
【００２５】
上側ガラス２００は、図３Ａ及び図５に示すように、屋内側の板ガラス２０１と、屋外側の板ガラス２０２と、これら２枚の板ガラスで挟持されたスペーサ２０３と、を備える複層ガラスである。この複層ガラスで構成された上側ガラス２００は、優れた断熱性を有する。
【００２６】
下障子３は、図１に示すように、上げ下げ窓１の閉鎖状態で、枠体１０内の下部に上障子２と同一平面内に配置される。下障子３は、枠体１０内に上下方向（見付方向）に移動可能に設けられる。下障子３は、図３Ｂ及び図４に示すように、下側上框３１（上框）と、下側下框３２（下框）と、左右の下側縦框３３，３４（縦框）と、により矩形に框組みされて形成された下側框体３０（第２框体）と、該下側框体３０内に嵌め込まれた下側ガラス３００（第２面材）と、押縁アタッチメント３１１，３１２，３１３，３１４と、を備える。
【００２７】
下側上框３１、下側下框３２、及び左右の下側縦框３３，３４には、それぞれ、内側（障子側）に開口して形成される溝３１ａ，３２ａ，３３ａ，３４ａが形成される。溝３１ａ，３２ａ，３３ａ，３４ａには、上側ガラス２００の側端部が配置される。
【００２８】
下側上框３１、下側下框３２、及び左右の下側縦框３３，３４が延びる方向に直交する断面形状は、図３Ｂ及び図４に示すように、同一である。下側上框３１、下側下框３２、及び左右の下側縦框３３，３４は、例えば塩化ビニル樹脂等の合成樹脂材料で形成され、押出し成形品により構成される。図１に示すように、下側上框３１、下側下框３２、及び左右の下側縦框３３，３４は、それぞれ、端部において、４５度の角度で切断して形成され、互いに切断した部分を溶着により接合する。下側上框３１、下側下框３２、及び左右の下側縦框３３，３４の断面形状については後述する。
【００２９】
下側ガラス３００は、図３Ｂ及び図４に示すように、屋内側の板ガラス３０１と、屋外側の板ガラス３０２と、これら２枚の板ガラスで挟持されたスペーサ３０３と、を備える複層ガラスである。この複層ガラスで構成された下側ガラス３００は、優れた断熱性を有する。
【００３０】
本実施形態においては、上障子２の上側上框２１、上側下框２２、及び左右の上側縦框２３，２４の断面形状と、下障子３の下側上框３１、下側下框３２、及び左右の下側縦框３３，３４の断面形状とは、配置される向きが異なるが、同一の形状である。即ち、上障子２の上側上框２１、上側下框２２、及び左右の上側縦框２３，２４、下障子３の下側上框３１、下側下框３２、及び左右の下側縦框３３，３４は、断面形状は全て同一である。
なお、本実施形態においては、框を特に区別する必要がない場合には、上障子２の上側上框２１、上側下框２２、及び左右の上側縦框２３，２４、下障子３の下側上框３１、下側下框３２、及び左右の下側縦框３３，３４の説明において、上障子２の上側上框２１、上側下框２２、及び左右の上側縦框２３，２４、下障子３の下側上框３１、下側下框３２、及び左右の下側縦框３３，３４を、単に框４０という。
【００３１】
本実施形態においては、上障子２の上側上框２１、上側下框２２、下障子３の下側上框３１、下側下框３２は、図２に示すように、上下方向において厚さを有する。また、上障子２の左右の上側縦框２３，２４、下障子３の左右の下側縦框３３，３４は、図４及び図５に示すように、左右方向に厚さを有する。そのため、本実施形態においては、「框４０の厚さ方向」とは、框４０が延びる方向及び見込方向に直交する方向を意味する。「厚さ方向」は、図２〜図３Ｂにおいては、上下方向であり、図４及び図５においては、左右方向である。また、框４０の厚さ方向（図２においては上下方向、図４及び図５においては左右方向）において、上側ガラス２００又は下側ガラス３００が配置される側を厚さ方向の内側といい、その反対側を厚さ方向の外側という。
【００３２】
框４０は、図３Ａ〜図５に示すように、屋外側に配置される屋外側框４１と、屋外側框４１における框４０の厚さ方向の外側の端部から屋内側に延びる屋内側框４２と、を有する。
【００３３】
屋外側框４１は、厚さ方向に延びる空気室４１１を形成する第１枠部４１２と、第１枠部４１２よりも厚さ方向の内側に形成される第２枠部４１３と、を有する。第２枠部４１３は、屋内側に向けて開口する。
【００３４】
屋外側框４１における厚さ方向の外側の外面には、第１係止部４１４が形成される。第１係止部４１４は、屋外側框４１における厚さ方向の外側において溝状に形成される。第１係止部４１４、屋内側に開口する溝状に形成される。
屋外側框４１における屋外側の外面には、図３Ａに示すように、気密部材としての環状パッキン７が当接する。
【００３５】
環状パッキン７は、図１に示すように、方形環状に形成され、枠体１０の内側の周縁の周方向の全域に亘って配置される。環状パッキン７は、弾性変形可能に構成される。環状パッキン７は、枠体１０の係止溝１１１ａ，１２１ａ，１３１ａ，１４１ａ（図３Ａ〜図５参照）に取り付けられ、上障子２の上側上框２１の屋外側框４１、上障子２の左右の上側縦框２３，２４の屋外側框４１、下障子３の下側下框３２の屋外側框４１、下障子３の左右の下側縦框３３，３４の屋外側框４１の外面に当接する。これにより、環状パッキン７は、上げ下げ窓１の閉鎖状態において、上障子２及び下障子３と枠体１０との間に枠体１０の内側の周縁に沿って配置され、上障子２及び下障子３と枠体１０との気密状態を保持する。
【００３６】
屋内側框４２は、屋外側框４１における厚さ方向の外側の端部から屋内側に延びる。屋内側框４２は、見込方向に延びる空気室４２１を形成する第３枠部４２２を有する。
【００３７】
屋内側框４２における厚さ方向の外側の外面には、屋外側から屋内側に向かって順に、第２係止部４２３、第３係止部４２４が形成される。
第２係止部４２３は、屋外側框４１における厚さ方向の外側に形成される。第２係止部４２３は、屋外側に開口する溝状に形成される。第２係止部４２３は、第１係止部４１４よりも屋内側に配置され、見込方向において、第１係止部４１４に対称の形状を有する。
第３係止部４２４は、屋内側框４２の屋内側の端部に形成されている。第３係止部４２４は、屋内側框４２における厚さ方向の外側に向けて開口する溝状に形成される。第３係止部４２４は、屋内側框４２の厚さ方向に並んだ二層の溝が、二層の溝よりも幅が狭い連通部により厚さ方向に連通されて形成される。
【００３８】
屋内側框４２における屋内側の端部には、第４係止部４２５が形成される。第４係止部４２５は、屋内側框４２における厚さ方向の内側に向けて開口する溝状に形成される。第４係止部４２５には、押縁アタッチメント２１１，２１２，２１３，２１４，３１１，３１２，３１３，３１４（図３Ａ〜図５参照）が係止される。押縁アタッチメント２１１，２１２，２１３，２１４，３１１，３１２，３１３，３１４は、長尺状の樹脂材料により形成される。押縁アタッチメント２１１，２１２，２１３，２１４，３１１，３１２，３１３，３１４は、第４係止部４２５に係止された状態で、上側ガラス２００，下側ガラス３００の周縁部を押圧する。これにより、框４０と押縁アタッチメント２１１，２１２，２１３，２１４，３１１，３１２，３１３，３１４との間で、上側ガラス２００，下側ガラス３００が挟持される。
【００３９】
框４０において、第１係止部４１４、第２係止部４２３、第３係止部４２４に係止させる部材を、それぞれ異らせることができる。
本実施形態においては、図３Ａに示すように、上障子２の上側下框２２の第１係止部４１４には、網戸取付片８１の一端部が係止される。網戸取付片８１は、アルミ材料で形成される。網戸取付片８１の他端部には、網戸８が取り付けられる。
また、下障子３の下側上框３１の第１係止部４１４、第２係止部４２３及び第３係止部４２４には、図３Ｂに示すように、引手部５４に形成された支持枠５４１が取り付けられる。
【００４０】
引手部５４は、図３Ｂに示すように、下障子３の屋内側において、下障子３の下側上框３１に取り付けられる。引手部５４は、図１に示すように、左右方向に延びる。引手部５４は、下障子３を開閉するために使用者が操作を行うための持ち手となる部分である。これにより、引手部５４に手を掛けて操作することで、下障子３の開閉を容易に行うことができる。
【００４１】
また、下障子３の下側下框３２の第１係止部４１４、第２係止部４２３及び第３係止部４２４には、図３Ｂに示すように、ピボットヒンジ軸部９を支持する支持枠９１が取り付けられる。下障子３は、引手部５４を屋内側に移動させながら上方側に移動させることで、ピボットヒンジ軸部９を中心に回動し、ガイド溝（図示せず）の傾斜部及び直線部に沿って上方側に移動する。下障子３は、開放状態において、上障子２よりも屋内側において、上障子２に平行に配置される。
【００４２】
また、図５に示すように、上障子２の左側の上側縦框２３の第３係止部４２４及び右側の上側縦框２４の第３係止部４２４には、モヘヤ部材２１５，２１６が取り付けられる。図４に示すように、下障子３の左側の下側縦框３３の第３係止部４２４及び右側の下側縦框３４の第３係止部４２４と、には、モヘア部材３１５，３１６が取り付けられる。
【００４３】
次に、上枠アタッチメント１１５、第１下枠アタッチメント１２５、第２下枠アタッチメント１２６、左右の縦枠アタッチメント１３５，１４５について説明する。上枠アタッチメント１１５、第１下枠アタッチメント１２５、第２下枠アタッチメント１２６、左右の縦枠アタッチメント１３５，１４５は、上枠１１、下枠１２、及び左右の縦枠１３，１４の近傍に配置される。上枠アタッチメント１１５、第１下枠アタッチメント１２５、第２下枠アタッチメント１２６、左右の縦枠アタッチメント１３５，１４５は、長尺状に形成され、例えば塩化ビニル樹脂等の合成樹脂材料で形成され、押出し成形品により構成される。
【００４４】
上枠アタッチメント１１５は、図３Ａに示すように、上枠１１の内側において、上枠１１と上側上框２１との間に取り付けられる。上枠アタッチメント１１５は、空気室を囲む枠体１１５ａを有し、上方に突出する２つの突起部１１５ｂ，１１５ｃを有する。２つの突起部１１５ｂ，１１５ｃは、それぞれ、上枠１１の２つの突出部１１３ａ，１１３ｂに係止される。
【００４５】
第１下枠アタッチメント１２５は、図３Ｂに示すように、下枠１２の内側に取り付けられる。第１下枠アタッチメント１２５は、略Ｌ字状に形成され、内側縦枠１２２の内面に沿って上下方向に延び、下端部において屋外側に屈曲して下部外枠１２３の内面に沿って延びる。第１下枠アタッチメント１２５は、屋内側に突出する突出部１２５ａと、下方側に突出する２つの突出部１２５ｂ，１２５ｃと、屋外側に形成される係止溝１２５ｄ，１２５ｅと、を有する。突出部１２５ａ、及び２つの突出部１２５ｂ，１２５ｃは、それぞれ、下枠１２の係止溝部１２２ｂ、及び２つの突出部１２３ａ，１２３ｂに係止される。
【００４６】
第２下枠アタッチメント１２６は、図３Ｂに示すように、下枠１２の内側において、第１下枠アタッチメント１２５に取り付けられる。第２下枠アタッチメント１２６は、空気室を囲む枠体１２６ａと、枠体１２６ａから下側下框３２へ向かうように湾曲して延びる湾曲延在部１２６ｂと、を有する。第２下枠アタッチメント１２６は、屋内側に突出する２つの突出部１２６ｃ，１２６ｄを有する。２つの突出部１２６ｃ，１２６ｄは、第１下枠アタッチメント１２５の係止溝１２５ｄ，１２５ｅに係止される。
【００４７】
本実施形態においては、左側の縦枠アタッチメント１３５及び右側の縦枠アタッチメント１４５は、同一の構成を有する。そのため、対応する構成については同様の規則性を持って符号を付し、その説明を省略する。従って、以下では、左側の縦枠アタッチメント１３５の周辺の構成のみについて説明する。
【００４８】
左側の縦枠アタッチメント１３５は、図４及び図５に示すように、空気室を囲む２つの枠体１３５ａ，１３５ｂを有する。２つの枠体１３５ａ，１３５ｂは、見込方向に並んで配置され、屋体側に枠体１３５ａが配置され、屋内側に枠体１３５ｂが配置される。左側の縦枠アタッチメント１３５は、２つの係止突起１３５ｃ、１３５ｄと、係止溝１３５ｅと、を有する。
【００４９】
係止突起１３５ｃは、枠体１３５ａの左側の端部の屋外側に形成される。係止突起１３５ｄは、枠体１３５ｂの左側の側面から立設される。係止溝１３５ｅは、枠体１３５ｂの屋内側の外面において溝状に形成される。係止溝１３５ｅには、モヘア部材１３６が取り付けられている。また、モヘア部材１３６に対して、見込方向に対称となるように、モヘア部材１３７が、縦枠１３の係止溝部１３２ｂに取り付けられている。
【００５０】
次に、第１ガラス接着部５ａ、第２ガラス接着部５ｂ、及び第３ガラス接着部５ｃについて説明する。図６は、ガラス接着部５０の構成を示す断面図である。図７は、ガラス接着部５０の構成を示す分解斜視図である。本実施形態においては、第１ガラス接着部５ａ、第２ガラス接着部５ｂ、及び第３ガラス接着部５ｃの構成は、同一の構成であるため、ガラス接着部５０と記載する。また、上側ガラス２００及び下側ガラス３００について、単に、ガラス５００と記載する。また、押縁アタッチメント２１１，２１２，２１３，２１４，３１１，３１２，３１３，３１４を、押縁アタッチメント５１０と記載する。
【００５１】
ガラス接着部５０は、框４０における長手方向の一部分とガラス５００とを接着して固定する。本実施形態においては、ガラス接着部５０は、図１に示すように、上げ下げ窓１において、框４０とガラス５００との間に配置され、框４０とガラス５００とを３箇所で接着する。具体的には、本実施形態においては、ガラス接着部５０は、上障子２の上側下框２２と上側ガラス２００との間における上側下框２２の長手方向の略中央の位置、下障子３の下側上框３１と下側ガラス３００との間における下側上框３１の長手方向の略中央の位置、下障子３の下側下框３２と下側ガラス３００との間における下側下框３２の長手方向の略中央の位置において、框４０の長手方向の一部分に配置される。
【００５２】
ガラス接着部５０は、図６及び図７に示すように、受け部材５１と、固定部材５２と、シート状の接着部材５３と、を備える。受け部材５１及び固定部材５２は、アルミ材料などの金属部材で構成される。
【００５３】
受け部材５１は、図６及び図７に示すように、框４０における長手方向の略中央において、ガラス５００が配置される側の框４０の溝４０ａの底面にねじ部材５０１，５０１により固定される。受け部材５１は、框４０の長手方向に延びるように形成される。受け部材５１は、長手方向の両端部に形成される一対の固定端部５１１，５１１と、固定部材５２を固定するための受け部本体５１２と、を有する。固定端部５１１は、ねじ部材５０１を挿通可能なねじ取付穴５１１ａを有する。ねじ取付穴５１１ａは、ガラス５００の厚さ方向に長い長穴である。受け部材５１は、ねじ取付穴５１１ａ及び框４０の取付穴４０１において、ねじ部材５０１により、框４０に固定される。
【００５４】
受け部本体５１２は、上板部材５１２ａと、下板部材５１２ｂと、を有する。上板部材５１２ａ及び下板部材５１２ｂは、框４０に平行に並んで配置される。上板部材５１２ａと下板部材５１２ｂとの間には、框４０の溝４０ａの底面に平行なスリット５１２ｃが形成される。下板部材５１２ｂにおける上板部材５１２ａ側の面には、ガラス５００の厚さ方向に延びる２つの突状部５１２ｄ，５１２ｄが形成される。
【００５５】
固定部材５２は、断面がＬ字形状に形成される。固定部材５２は、シート状の接着部材５３が取り付けられる第１板部５２１と、受け部本体５１２のスリット５１２ｃに挿入されて２つの突状部５１２ｄ，５１２ｄに係止される第２板部５２２と、を有する。
【００５６】
接着部材５３は、シート状に構成され、固定部材５２の第１板部５２１の一方側の面に取り付けられる。接着部材５３におけるガラス５００が配置される側の面には、接着部分が露出している。接着部材５３は、受け部本体５１２を取り付けた框４０にガラス５００を載置した状態で、固定部材５２を受け部本体５１２のスリット５１２ｃに挿入することで、ガラス５００に接着される。
【００５７】
以上のように構成されるガラス接着部５０は、框４０に受け部本体５１２を取り付けた後に、ガラス５００を框４０の溝４０ａの底面に載置した状態で、固定部材５２の第２板部５２２を受け部材のスリット５１２ｃに挿入することで、２つの突状部５１２ｄ，５１２ｄに係止された状態で、ガラス５００と框４０とを、接着部材５３により、固定部材５２で固定することができる。そして、続けて、押縁アタッチメント５１０を、框４０の第４係止部４２５に係止させることで、框４０と押縁アタッチメント５１０との間で、ガラス５００を挟持する。
【００５８】
次に、上障子２を枠体１０に固定するための障子固定構造６０，６０について説明する。図８は、障子固定構造６０において、枠体１０に上障子２を固定する前の状態を示す斜視図である。図９は、障子固定構造６０において、上障子２の取付金具６１を示す斜視図である。図１０は、障子固定構造６０において、障子固定金具６２を斜め下方側から視た斜視図である。図１１は、障子固定構造６０において、障子固定金具６２を斜め上方側から視た斜視図である。図１２は、障子固定構造６０において、上障子２が枠体１０に固定された状態を示す斜視図である。図１３は、障子固定構造６０において、上障子２の取付金具６１が障子固定金具６２に固定された状態を示す斜視図である。
【００５９】
障子固定構造６０，６０は、図８に示すように、上げ下げ窓１の左右に一対設けられ、上げ下げ窓１の左右方向の両端の端部に配置される。障子固定構造６０は、上障子２の下端部に取り付けられる一対の取付金具６１，６１と、枠体１０の左右の縦枠１３，１４の内面側に取り付けられる一対の障子固定金具６２（固定金具）と、を備える。
【００６０】
取付金具６１は、図９に示すように、上障子２の左右方向の側部から外側に突出するように、上障子２の左右方向の両端部の側部の下端部に取り付けられる。取付金具６１を取り付けた上障子２の横幅（見付方向の幅）（上障子２と取付金具６１とを合わせた見付方向の長さ）は、左右の縦枠１３，１４の内幅（内側の長さ）よりも小さい。
取付金具６１は、基板部６１１と、取付底板部６１２と、一対の縦板部６１３，６１３と、を有する。
【００６１】
基板部６１１は、上側縦框２３，２４における上障子２の左右方向の外側の側面に配置される。基板部６１１は、板状に形成され、上下方向に延びる。基板部６１１は、ねじ部材６１４，６１４により、上障子２の左右方向の外側の側面に固定される。
【００６２】
取付底板部６１２は、基板部６１１の下端部から、上障子２の左右方向の外側に突出するように形成される。取付底板部６１２は、上障子２の底面と略同一面となるように、見込方向（上側ガラス２００の厚さ方向）に延びる。取付底板部６１２は、上下方向に貫通するねじ穴６１２ａを有する。
【００６３】
一対の縦板部６１３，６１３は、基板部６１１における見込方向の両端部から、上障子２の左右方向の外側に突出するように形成される。一対の縦板部６１３，６１３は、上下方向に延びる。
【００６４】
障子固定金具６２は、図８及び図９に示すように、左右の縦枠１３，１４の見込方向の屋外側において、ねじ部材６０３，６０３により、左右の縦枠１３，１４の内側にそれぞれ固定される。障子固定金具６２は、上障子２を枠体１０に固定する。障子固定金具６２は、図１０及び図１１に示すように、載置板部６３と、載置板支持部６４と、取付スリット板６５と、アングル部材６６と、を備える。アングル部材６６は、後述するロック機構７０の一部を構成する。
【００６５】
載置板支持部６４は、縦枠１３，１４に取り付けられると共に、載置板部６３を支持する。載置板支持部６４は、上側枠部６４１と、アングル部材取付凸部６４２と、下側平板部６４３と、を有する。
【００６６】
上側枠部６４１は、上側平板部６４１ａと、一対の支持板６４１ｂ，６４１ｂと、を有する。上側平板部６４１ａは、縦枠１３，１４の内面に沿う板状に形成され、上下方向に延びる。一対の支持板６４１ｂ，６４１ｂは、載置板部６３の下方側から、載置板部６３を支持する。一対の支持板６４１ｂ，６４１ｂは、上側平板部６４１ａの見込方向の両端部から縦枠１３，１４の内側に延出するように立設され、縦枠１３，１４の内面に直交して配置される。一対の支持板６４１ｂ，６４１ｂは、見付方向に延びる。
【００６７】
アングル部材取付凸部６４２は、上側枠部６４１の上側平板部６４１ａの下端部に接続される。アングル部材取付凸部６４２は、上側枠部６４１の上側平板部６４１ａ及び下側平板部６４３よりも縦枠１３，１４の内側に突出するように形成される。アングル部材取付凸部６４２は、見付方向の断面形状が、略Ｃ字形状に形成される。
下側平板部６４３は、アングル部材取付凸部６４２の下端部に接続される。下側平板部６４３は、アングル部材取付凸部６４２よりも縦枠１３，１４側において、縦枠１３，１４の内面に沿う板状に形成され、上下方向に延びる。
【００６８】
載置板部６３は、段差状に形成され、載置板支持部６４の上端部から縦枠１３，１４の内側に延出する。載置板部６３は、水平方向に延びる支持側上段板６３２と、載置側下段板６３１よりも下方側において水平方向に延びる載置側下段板６３１と、載置側下段板６３１と支持側上段板６３２との間に跨って配置される補強部６３３と、を有する。
【００６９】
支持側上段板６３２は、上側枠部６４１の一対の支持板６４１ｂ，６４１ｂに支持される。支持側上段板６３２は、上側枠部６４１の上側平板部６４１ａから縦枠１３，１４の内側に向けて延びる。
【００７０】
載置側下段板６３１は、支持側上段板６３２よりも低い位置において水平に形成され、支持側上段板６３２における縦枠１３，１４側の端部から、縦枠１３，１４の内側に延びる。載置側下段板６３１は、上障子２の左右方向の側部の下端部に取り付けられた取付金具６１及び上障子２の上側下框２２が載置される部分である。載置側下段板６３１における枠体１０の内部側の端部の角部は、丸みを帯びて形成される。載置側下段板６３１は、上下方向に貫通する貫通長穴６３１ａを有する。
【００７１】
貫通長穴６３１ａは、見込方向（上側ガラス２００の厚さ方向）に延びる貫通長穴である。貫通長穴６３１ａには、上障子２と障子固定金具６２とを固定する際に、図１３に示すように、ねじ部材６０１が挿通される。ねじ部材６０１は、上障子２の取付金具６１と障子固定金具６２とを固定する。貫通長穴６３１ａ及び取付底板部６１２のねじ穴６１２ａを介して、ねじ部材６０１により、上障子２に取り付けられた取付金具６１と、載置板部６３とを固定する。貫通長穴６３１ａが見込方向に延びるため、貫通長穴６３１ａに沿って上障子２を見込方向に移動させることで、上障子２の見込方向の位置を調整することができる。
【００７２】
補強部６３３は、段差状に形成され、載置側下段板６３１の上面と支持側上段板６３２の上面とに跨って配置され、載置側下段板６３１の上面と支持側上段板６３２の上面とを接続して、載置側下段板６３１の及び支持側上段板６３２の接続を補強する。補強部６３３の角部は、丸みを帯びて形成される。
【００７３】
取付スリット板６５は、載置板支持部６４と縦枠１３，１４との間に配置される。取付スリット板６５は、上下方向に延びる板状に形成される。取付スリット板６５は、下方側が開放するスリットが形成された略Ｕ字形状に形成される。
【００７４】
アングル部材６６は、後述するように、下障子３が屋内側へ倒れないように、下障子３の屋内側への移動を規制するストッパ（規制部材）として機能する。本実施形態においては、アングル部材６６は、障子固定金具６２に備えられている。
アングル部材６６は、アングル部材取付凸部６４２に取り付けられる。アングル部材６６は、見付方向の断面形状が、略Ｌ字形状に形成される。アングル部材６６は、アングル取付板６６１と、アングル立ち上がり板６６２と、を有する。
【００７５】
アングル取付板６６１は、縦枠１３，１４の内面に平行であって見付方向及び上下方向に広がる板状に形成される。アングル取付板６６１は、アングル部材取付凸部６４２にねじ部材６０２により固定される。
【００７６】
アングル立ち上がり板６６２は、アングル取付板６６１の屋内側の端部から縦枠１３，１４の内側に向けて立ち上がるように形成される。アングル立ち上がり板６６２は、見込方向に広がる板状に形成される。アングル立ち上がり板６６２の先端には、折り曲げられて曲面状に形成された先端曲面部６６２ａが形成されている。
【００７７】
以上のように構成される障子固定構造６０，６０においては、上障子２を枠体１０に取り付ける際に、上障子２は、障子固定金具６２が縦枠１３，１４に固定された状態で、障子固定金具６の上部に載置されて、障子固定金具６２に固定される。詳細には、上障子２の取付金具６１は、上障子２を枠体１０に取り付ける際に、障子固定金具６２の上部に載置されて、障子固定金具６２に固定される。
【００７８】
次に、ロック機構７０、７０について説明する。図１４は、下障子３のロック機構７０を示す図である。ロック機構７０，７０は、下障子３が屋内側に倒れないようにロックする機構である。ロック機構７０，７０は、図１に示すように、上げ下げ窓１の左右に一対設けられ、下障子３の左右方向の両端の端部側に配置される。
ロック機構７０は、図１４に示すように、基体７１、ラッチ部材７２、弾性部材７３、摺動棒７４、操作部材７５、連結部材７６、及びアングル部材６６（規制部材）を備えている。
【００７９】
基体７１には、操作部材７５及び摺動棒７４が摺動可能に取り付けられている。
ラッチ部材７２は、基体７１の一方の面側に配置される。ラッチ部材７２は、左右方向に延びる板状の部材であり、その長手方向の一端側が他に比べて大きく形成され、その先端の端面は多面に形成されている。ラッチ部材７２の先端側の屋内側には、端面７２ａが形成されている。
【００８０】
弾性部材７３は、ラッチ部材７２を左右方向の外側に付勢する。弾性部材７３は、弾性部材７３の一端が基体７１に固定され、他端がラッチ部材７２に固定される。弾性部材７３がラッチ部材７２を左右方向の外側に付勢することで、図１４に示すように、ラッチ部材７２の端面７２ａは、縦枠アタッチメント１４５の枠体に当接する。
【００８１】
摺動棒７４は、棒状の部材である。摺動棒７４は、基体７１の他方の面側に配置される。摺動棒７４は、基体７１に係止されつつ、基体７１に対して揺動可能に、基体７１に取り付けられている。
操作部材７５は、操作者により、ロック機構７０を解除されるときに操作される部材である。操作部材７５は、連結部材７６を介して摺動棒７４に連結されている。操作部材７５は、基体７１に摺動可能に取り付けられる。操作部材７５の摺動方向は、摺動棒７４の長手方向と同じ方向である。連結部材７６は、摺動棒７４と操作部材７５とを連結する。
【００８２】
アングル部材６６は、前述の障子固定金具６２の一部を構成しており、下障子３が屋内側へ倒れないように規制するストッパとして機能する。アングル部材６６は、障子固定金具６２が縦枠１３，１４の内側に固定されることで、縦枠１３，１４の内側から立ち上がるように配置されている。
【００８３】
次に、ロック機構７０を解除して、下障子３を開放させる動作について説明する。
上げ下げ窓１の閉鎖状態では、下障子３は、図１に示すように、枠体１０内の下部に上障子２と同一面内に上下に並べられて配置されている。このときには、ロック機構７０、７０は、図１４に示すように、ラッチ部材７２の端面７２ａが縦枠アタッチメント１４５の枠体に接するように配置される。このとき、ラッチ部材７２は、弾性部材７３により、縦枠アタッチメント１４５の枠体に付勢されている。一方、摺動棒７４が縦枠１３、１４に向けて大きく突出され、摺動棒７４の先端が、アングル部材６６の屋外側に配置され、アングル部材６６により見込方向における屋内側への移動が規制されている。これにより、下障子３は移動させることができず、閉鎖状態で、ロックされている。
【００８４】
このような閉鎖状態から、操作者は、操作部材７５を、下障子３の左右方向の内側に移動させる。これにより、摺動棒７４がアングル部材６６よりも左右方向の内側に移動して、ロックが解除される。そして、操作者は、下障子３の上端部に設けられた引手部５４（図１参照）を、屋内側に引き倒す。そのため、下障子３の上端部は、ガイド溝（図示せず）側に配置される。下障子３を、ロックを解除した状態で、屋内側に引き倒すことができる。
【００８５】
その後、引手部５４に手を掛けて下障子３を引き上げることで、下障子３がガイド溝（図示せず）内を移動し、下障子３を開放させることができる。
【００８６】
下障子３を閉める際には、上記の手順を遡るように操作する。
【００８７】
次に、上げ下げ窓１の施工方法について、主に、枠体１０に上障子２を取り付ける作業について説明する。
まず、作業者は、一対の障子固定金具６２、６２を、図１０に示すように、それぞれ、ねじ部材６０３により、枠体１０の縦枠１３，１４に取りつけて固定する（第１工程）。ここで、作業者は、図８に示すように、障子固定金具６２を、枠体１０の内部側に突出するように配置して取り付ける。
【００８８】
次に、図８に示すように、障子固定金具６２が枠体１０の縦枠１４に取り付けられた状態において、枠体１０内において、上障子２の取付金具６１を障子固定金具６２の載置板部６３の上面よりも上方に持ち上げて（第２工程）、上障子２の取付金具６１及び上障子２の上側下框２２を障子固定金具６２の載置板部６３の上面に載置する（第３工程）。そして、この状態で、図１３に示すように、ねじ部材６０１を用いて、上障子２の取付金具６１を、障子固定金具６２の載置板部６３の上面に固定する（第４工程）。ねじ部材６０１で上障子２の取付金具６１を障子固定金具６２に固定する際に、貫通長穴６３１ａに沿って上障子２を見込方向に移動させることで、上障子２の見込方向の位置を調整することができる。
ここで、取付金具６１を取り付けた上障子２の横幅（見付方向の幅）（上障子２と取付金具６１とを合わせた見付方向の長さ）は、左右の縦枠１３，１４の内幅（内側の長さ）よりも小さい。そのため、上障子２の建て込みの際に、上障子２が左右の縦枠１３，１４にあたることがなくなり、施工しやすい。
【００８９】
本実施形態によれば、以下の効果が奏される。
本実施形態では、上障子２は、上障子２の左右方向の両端部の下部に配置される一対の取付金具６１，６１を有し、取付金具６１は、固定金具６２の上部に載置されて、固定金具６２に固定される。
これにより、上障子２を枠体１０に取り付ける際に、上障子２を障子固定金具６２の上部に載置すればよいため、上障子２を枠体１０に取り付ける作業が容易である。よって、上障子２を枠体１０に固定する作業性を向上できる。また、上障子２の取付金具６１が障子固定金具６２に固定されるため、より強固に固定することができる。
【００９０】
また、本実施形態では、枠体１０内の下部に配置される下障子３を備え、障子固定金具６２は、下障子３の屋内側への移動を規制するアングル部材６６を有する。
これにより、障子固定金具６２が下障子３の屋内側への移動を規制するアングル部材６６を備えたため、上げ下げ窓１の閉鎖状態においてアングル部材６６により下障子３の屋内側への移動を規制しつつ、アングル部材６６を取り付けるスペースを別に設けなくてよい。
【００９１】
また、本実施形態では、上障子２と障子固定金具６２とを固定するねじ部材６０１を備え、障子固定金具６２は、上障子２と障子固定金具６２とを固定する際にねじ部材６０１が挿通され且つ見込方向に延びる貫通長穴６３１ａを有する。
これにより、貫通長穴６３１ａに沿って上障子２を見付方向に移動させることで、上障子２の見付方向の位置を調整することができる。これにより、上障子２と枠体１０との間に例えば本実施形態の環状パッキン７が配置される場合には、環状パッキン７への当接状態を調整して、気密性をより向上させることができる。
【００９２】
なお、本発明は上記実施形態に限定されるものではなく、本発明の目的を達成できる範囲での変形、改良等は本発明に含まれる。
【００９３】
上記実施形態では、上障子２が枠体１０内に固定されているが、これに限定されない。例えば、下障子３が枠体１０内に固定されていてもよいし、上障子２及び下障子３のいずれも枠体１０内に固定されていなくてもよい。
【００９４】
上記実施形態では、上障子２及び下障子３が上下方向に並べられる上げ下げ窓を例に説明したが、これに限定されない。２つの障子が左右方向に並べられる窓であってもよい。
【００９５】
上記実施形態では、気密部材として、環状の環状パッキン７としたが、これに限定されない。例えば、直線状のパッキンでもよい。
【００９６】
上記実施形態では、上障子２の框の断面形状と、下障子３の框の断面形状とを、全て同一の形状に形成したが、これに限定されない。例えば、上障子２の框の断面形状を全て同一に形成し、下障子３の框の断面形状を、上障子２の框の断面形状と異なるように形成してもよい。
【符号の説明】
【００９７】
１…上げ下げ窓（建具）
２…上障子
３…下障子
１０…枠体
１１…上枠
１２…下枠
１３，１４…縦枠
６１…取付金具
６２…障子固定金具（固定金具）
６６…アングル部材（規制部材）
６０１…ねじ部材
６３１ａ…貫通長穴
【図１】
0006649061.tif 000002
【図２】
0006649061.tif 000003
【図３Ａ】
0006649061.tif 000004
【図３Ｂ】
0006649061.tif 000005
【図４】
0006649061.tif 000006
【図５】
0006649061.tif 000007
【図６】
0006649061.tif 000008
【図７】
0006649061.tif 000009
【図８】
0006649061.tif 000010
【図９】
0006649061.tif 000011
【図１０】
0006649061.tif 000012
【図１１】
0006649061.tif 000013
【図１２】
0006649061.tif 000014
【図１３】
0006649061.tif 000015
【図１４】
0006649061.tif 000016